(57)【要約】      （修正有）【課題】空き巣犯行を防ぐ防犯装置として、防犯効果が高い光と音を利用し、建物内に人が居るかもしれない（在宅偽装）と思わせることができる防犯機能を搭載した、室内照明器具点灯用スイッチプレートを提供する。【解決手段】防犯装置における室内照明器具点灯用スイッチプレート１において、電源１１から内側に設けた時間制御機能搭載の２４時間時計付タイマー３と小型ラジオ９と音声用ＩＣチップ８と人体検知センサー受信機７を室内照明器具１０に配線接続し、前記のタイマー又は建物外壁に設置した人体検知センサーによって、室内照明器具１０と小型ラジオ９と音声用ＩＣチップ８がオン／オフすることができ、これにより建物内に人が居るかもしれない（在宅偽装）と思わせることができる。また、モード切替スイッチ６により、通常の室内照明器具点灯用スイッチ２としても使用できるものである。【選択図】図２
0003129519.tif 000002
【実用新案登録請求の範囲】
【請求項１】
防犯装置における室内照明器具点灯用スイッチプレートにおいて、電源から内側に設けた時間制御機能搭載の２４時間時計付タイマーと小型ラジオと音声用ＩＣチップと人体検知センサー受信機を室内照明器具に配線接続し、前記のタイマー又は建物外壁に設置した人体検知センサーによって、室内照明器具と小型ラジオと音声用ＩＣチップがオン／オフ機能することを特徴とする防犯機能搭載の室内照明器具点灯用スイッチプレート。
【請求項２】
前記のスイッチプレート外側には、防犯機能と室内照明器具点灯を切替するスイッチを設けており、スイッチによって、防犯機能モードと室内照明器具点灯用モードを切替できることを特徴とする防犯機能搭載の室内照明器具点灯用スイッチプレート。
【請求項３】
前記第１項のスイッチプレート内の音声用ＩＣチップは、繰返し録音、再生ができる音声合成機能することを特徴とする防犯機能搭載の室内照明器具点灯用スイッチプレート。
【考案の詳細な説明】
【技術分野】
【０００１】  本考案は、防犯装置における室内照明器具点灯用スイッチプレートにおいて、電源から内側に設けた時間制御機能搭載の２４時間時計付タイマーと小型ラジオと音声用ＩＣチップと人体検知センサー受信機を室内照明器具に配線接続し、前記のタイマー又は建物外壁に設置した人体検知センサーによって、室内照明器具と小型ラジオと音声用ＩＣチップがオン／オフすることができ、これにより建物内に人が居るかもしれない（在宅偽装）と思わせることができる。また、モード切替スイッチにより、室内照明器具点灯用スイッチとしても使用できるものである。
【背景技術】
【０００２】  既存の防犯装置のほとんどは空き巣対策用の製品である。主に窓、ドアなどを壊して室内に侵入しようとした犯人が、防犯設備により犯行を諦めるといった内容である。しかし、その場合、窓、ドアなどはすでに壊されてしまっており、窃盗の被害がなくても器物破損の被害が出てしまう現状である。そこで、防犯効果が高い光と音を利用し、建物内に人が居るかもしれない（在宅偽装）と思わせることができるような、心理的に空き巣犯行を防ぐ防犯装置（在宅偽装）の開発が急務とされている。【０００３】  この内、防犯効果が高い、光と音の機能を備えた防犯装置（在宅偽装機能）として様々なものが提案されている。
【特許文献１】特許公開２００６−１４７４４６公報
【特許文献２】特許公開２００５−５１７２６６公報
【考案の開示】
【考案が解決しようとする課題】
【０００４】  特許文献１の主な内容は、制御回路によって電源スイッチがオン／オフ交互に作動する自動ランダム機能搭載の電源コンセントを、光や音を発生する電化製品と接続する内容である。音については、音を発生させる電化製品（オーディオ、ラジオなど）を、リビング、玄関などに置き、前記機能搭載の電源コンセントと接続する。光については、前記機能搭載の電源コンセントを天井吊り下げ型室内照明器具プラグと接続する。しかし、この内容では市販にある２４時間時計付繰返しタイマー（ランダム設定可能）を音声電化製品（オーディオ、ラジオ）と、照明電化製品（電気スタンドなど）に接続使用した場合の防犯効果（在宅偽装）とそれほど違いはない。また、室内照明器具プラグと接続する前記機能搭載の電源コンセントは、天井吊り下げ型照明器具用プラグタイプとなっており、その他タイプの照明器具と接続できない。また、前記機能搭載の電源コンセントは、制御回路によって電源スイッチがオン／オフ交互に作動する自動ランダムタイプである為、利用者が自分でオン／オフの時間設定ができるタイマー機能はない。【０００５】  特許文献２の主な内容は、室内照明器具用の点灯スイッチに変えて、防犯機能搭載の電子式スイッチ器としており、明るさ検知センサー、マイコン制御による時間設定機能などにより、照明器具がオン／オフ作動する防犯機能搭載の電子式スイッチ器である。また、ワンタッチ操作で、通常の照明器具点灯用スイッチとしても使用できる。しかし、この防犯機能搭載の電子式スイッチ器には、防犯効果（在宅偽装）が高い、音を発生させる機能は搭載されていない。空き巣犯行は深夜だけとは限らず、不在と分かったら日中でも空き巣犯に侵入される可能性は高い。また、マイコン制御による時間設定となっている為、利用者が簡単に時間設定できない構造である。【０００６】  そこで本考案は、従来の技術を有するこのような問題を解消した、室内照明器具点灯用スイッチプレートと一体型の防犯装置である。この装置により防犯効果が高い、光と音を利用して、建物内に人が居るかもしれない（在宅偽装）と思わせる防犯装置を提供することを目的とする。
【課題を解決するための手段】
【０００７】  本考案の室内照明器具点灯用スイッチプレート一体型の防犯装置は、上記目的を達成するために室内照明器具点灯用スイッチプレートにおいて、電源から内側に設けた時間制御機能搭載の２４時間時計付タイマーと小型ラジオと音声用ＩＣチップと人体検知センサー受信機を室内照明器具に配線接続し、前記のタイマー又は建物外壁に設置した人体検知センサーによって、室内照明器具と小型ラジオと音声用ＩＣチップがオン／オフ機能することを特徴とする防犯機能（在宅偽装）搭載の室内照明器具点灯用スイッチプレートを防犯装置として課題を解決する。【０００８】  前記のスイッチプレート外側には、防犯機能と室内照明器具点灯を切替するスイッチを設けており、スイッチによって、防犯機能モードと室内照明器具点灯用モードを切替できることを特徴とする防犯機能搭載の室内照明器具点灯用スイッチプレート。【０００９】  前記第１のスイッチプレート内の音声用ＩＣチップは、繰返し録音、再生ができる音声合成機能することを特徴とする防犯機能搭載の室内照明器具点灯用スイッチプレート。
【考案の効果】
【００１０】  本考案による課題解決の効果について、室内照明器具点灯用スイッチプレート一体型防犯装置（在宅偽装）に搭載している、２４時間時計付時間制御タイマー（繰返しオン／オフ機能搭載）や人体検知センサーによって、室内照明器具がオン／オフと点灯を繰返し、建物内に人が居るかもしれない（在宅偽装）と心理的に思わせることができる。また、この防犯機能搭載のスイッチプレートには音を発生させる小型ラジオ、音声用ＩＣチップも搭載しており、時間制御タイマーや人体検知センサーにより、ラジオや音声用ＩＣチップから音が発生される。これにより、日中でも建物内に人が居るかもしれない（在宅偽装）と思わせることができ、さらに心理的に空き巣犯行を防ぐ効果が期待できる。【００１１】  また、本考案の防犯機能搭載のスイッチプレートには、防犯機能と室内照明器具点灯を切替するスイッチを設けており、スイッチによって、防犯機能モードと室内照明器具点灯用モードを切替することができ、これにより普段は室内照明器具点灯用スイッチとして使用できる。【００１２】  また、本考案の防犯機能搭載のスイッチプレートは、空き巣犯対策だけの防犯装置ではなく、性犯罪防止（一人暮らしの女性宅向け）を防ぐ効果も期待できる。例えば帰宅時間の少し前に時間タイマーをセットすることによって、帰宅した時間帯には、室内照明器具（例、玄関照明器具など）が点灯し、またラジオなど音も発生しており、一人暮らしの女性を狙った犯人からは、部屋に誰か居るかもしれないと思わせることができる。【００１３】  本考案の防犯機能搭載のスイッチプレートは、既存の室内照明器具点灯用のスイッチプレートを取外した場所に設置できる為、現状復帰（従来のスイッチプレートに戻す）を容易に行うことができる。これにより、賃貸マンション、賃貸アパート、貸家など、現状復帰を要求される住宅にも設置することができる。
【考案を実施するための最良の形態】
【００１４】  以下、添付図面を参照して、本考案の実施形態ついて説明する。図１は、本考案の防犯機能搭載のスイッチプレートを示す斜視図である。防犯装置における室内照明器具点灯用スイッチプレート１において、スイッチプレート外側には、防犯機能と室内照明器具点灯を切替するスイッチ６を設けており、スイッチ６によって、防犯機能モードと室内照明器具点灯用モードを切替でき、これにより普段は室内照明器具点灯用スイッチ２として使用もできる。また時間制御機能搭載の２４時間時計付タイマー３は、時計時間設定を摘み３Ｂを回すタイプのアナログ式構造なので、時計時間設定は簡単であり、オン／オフ機能もピン３Ａを内側に押すだけで簡単に設定でき、最小１５分間隔で時間設定が可能である。これにより室内照明器具を好きな時間帯に点灯を繰返すことができ、また小型ラジオ９、音声用ＩＣチップ８からもスピーカー４からの音の発生も繰返し出すことができる。また、この防犯機能搭載のスイッチプレート１には建物外壁に設置した人体検知センサーを受信できる受信機７を内側に搭載しており、このセンサーを受信する為とラジオ電波を受信する為のアンテナ５を設けている。【００１５】  図２は、本考案の防犯機能搭載のスイッチプレートを示す回路構成図である。防犯装置における室内照明器具点灯用スイッチプレート１において、電源（入力）１１から内側に設けた時間制御機能搭載の２４時間時計付タイマー３と小型ラジオ９と音声用ＩＣチップ８と人体検知センサー受信機７を室内照明器具１０に配線接続し、前記のタイマー３又は建物外壁に設置した人体検知センサー受信機７によって、室内照明器具１０（出力）と小型ラジオ９と音声用ＩＣチップ８がオン／オフ機能することを特徴とする防犯機能搭載の室内照明器具点灯用スイッチプレートである。また、スイッチ６によって、防犯機能モードと室内照明器具点灯用モードを切替でき、これにより普段は通常の室内照明器具点灯用スイッチ２として使用もできる。【００１６】  以上説明したように本考案の防犯機能搭載のスイッチプレートによって、防犯効果が高い光と音を利用し、建物内に人が居るかもしれない（在宅偽装）と心理的に思わせることができ、これにより空き巣犯罪などに狙われにくくとすることができる。また、本考案の防犯装置は既存の室内照明器具用のスイッチプレートを取外して設置する壁付けタイプの為、床に置くタイプの防犯装置に比べ場所もとらない。また、依頼者の要望の部屋に設置することができる。また、一番効果的な場所とされる玄関内の照明器具用スイッチプレートに設置することにより、自宅から出かける時など時間タイマーの設定を簡単にしやすく利用もしやすい。【００１７】  本考案の防犯装置は室内照明器具用スイッチプレート一体型となっていることにより、実用的な構造とすることができた。また、基本構造も比較的簡素である為、低コストで実現もできる。これら前記内容と実用的な仕様を考えると一般家庭、事務所、倉庫など広く普及させることが可能である。
【図面の簡単な説明】
【００１８】
【図１】本考案の防犯機能搭載のスイッチプレートを示す斜視図である。
【図２】本考案の防犯機能搭載のスイッチプレートを示す回路構成図である。
【符号の説明】
【００１９】１    防犯機能搭載スイッチプレート本体
２    室内照明器具点灯用スイッチ
３    ２４時間時計付時間制御タイマー
３Ａ  時間設定タイマーピン
３Ｂ  時計時間設定摘み
４    スピーカー
５    アンテナ
６    切替スイッチ
７    人体検知センサー受信機
８    音声用ＩＣチップ
９    小型ラジオ
１０  室内照明器具
１１  電源
【図１】
0003129519.tif 000003
【図２】
0003129519.tif 000004
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
防犯装置における室内照明器具点灯用スイッチプレートにおいて、電源から内側に設けた時間制御機能搭載の２４時間時計付タイマーと小型ラジオと音声用ＩＣチップと人体検知センサー受信機を室内照明器具に配線接続し、前記のタイマー又は建物外壁に設置した人体検知センサーによって、室内照明器具と小型ラジオと音声用ＩＣチップがオン／オフ機能することを特徴とする防犯機能搭載の室内照明器具点灯用スイッチプレート。
【請求項２】
請求項１記載の防犯装置における室内照明器具点灯用スイッチプレートにおいて、スイッチプレート外側には、防犯機能と室内照明器具点灯を切替するスイッチを設けており、スイッチによって、防犯機能モードと室内照明器具点灯用モードを切替できることを特徴とする防犯機能搭載の室内照明器具点灯用スイッチプレート。
【請求項３】
請求項１記載の防犯装置における室内照明器具点灯用スイッチプレートにおいて、スイッチプレート内の音声用ＩＣチップは、繰返し録音、再生ができる音声合成機能することを特徴とする防犯機能搭載の室内照明器具点灯用スイッチプレート。